(57)【特許請求の範囲】
【請求項１】
携行型小火器を車載可能とするための小火器用車載化キットであって、
射撃を可能とするための押し金を含む、既存の銃床部の代わりに装着される車載用銃把部と、
前記押し金の動きを既存の発射用ピストンに伝えるための引き金連接棒を含む、既存の引き金部の代わりに装着される車載用引き金部と、
を備えたことを特徴とする小火器用車載化キット。
【請求項２】
前記引き金連接棒を電気的に駆動するためのソレノイドを更に備えたことを特徴とする、請求項１に記載の小火器用車載化キット。
【発明の詳細な説明】
【０００１】
【発明の属する技術分野】
本発明は、小火器用車載化キットに係り、特に、機関銃等の携行型小火器を車載可能とするための小火器用車載化キットに関する。
【０００２】
【従来の技術】
従来、機関銃は、図１に例示するような携行用と、図２に本発明の実施形態で例示するような車載用でそれぞれ別途開発されていた。
【０００３】
即ち、図１に例示するような携行型機関銃で必要な、銃身１０の重量を地上で支えるための２脚の固定脚１２、引き金部１４の引き金１６や握把１８、発射した際の衝撃の反動を受けるための肩あて３４を含む銃床部３２、遠距離の標的に照準を合わせるためのスコープ３６等が、図２に例示するような、取り回しが容易で近距離の標的の射撃が主体の車載用機関銃には備えられておらず、代わりに、車両に装着された車載用台座に回動自在に保持された銃の後端を把持するための銃把部５２、該銃把部５２の発射用押し金５４の動きを、指をかける引き金や握把の無い引き金部７０に伝えるための作動桿等が備えられていた。
【０００４】
前記携行型機関銃の引き金部１４は、図３に詳細に示す如く、逆鈎軸２２の回りに回動自在とされた逆鈎２０と、該逆鈎２０を図の反時計方向に付勢するための逆鈎ばね２４と、引き金軸１７の回りを回動可能とされた前記引き金１６が引かれて、前記逆鈎２０の後端（図の左端）が引き下げられた時に、図示しない銃弾の雷管を叩いて発射するための撃針を有する発射用ピストン２６と、撃発位置で前記逆鈎２０の後端の引き下げを可能とし、安全位置で不可能とするための安全子２８と、これらを保持するための、銃本体取付用の切欠き３０Ａ、ピン挿入穴３０Ｂ及び、三脚固定用後部穴３０Ｃが形成された引き金枠３０とを主に備えている。
【０００５】
【発明が解決しようとする課題】
しかしながら、戦況や兵站状況によっては、それぞれを専用とするのではなく、例えば既存の携行型機関銃を車載機関銃に転用できることが望ましいが、従来は、容易に変更することができなかった。
【０００６】
本発明は、前記従来の問題点を解消するべくなされたもので、携行型の小火器を容易に車載型に変更可能とすることを課題とする。
【０００７】
【課題を解決するための手段】
本発明は、携行型小火器を車載可能とするための小火器用車載化キットであって、射撃を可能とするための押し金を含む、既存の銃床部の代わりに装着される車載用銃把部と、前記押し金の動きを既存の発射用ピストンに伝えるための引き金連接棒を含む、既存の引き金部の代わりに装着される車載用引き金部とを備えることにより、前記課題を解決したものである。
【０００８】
又、前記引き金連接棒を電気的に駆動するためのソレノイドを更に備えることにより、遠隔操作機能を付加可能としたものである。
【０００９】
【発明の実施の形態】
以下図面を参照して、本発明の実施形態を詳細に説明する。
【００１０】
本実施形態は、図２に全体構成を示す如く、射撃を可能とするための押し金５４を含む、図１に示した既存の銃床部３２の代わりに装着される車載用銃把部５２と、前記押し金５４の動きを既存の発射用ピストン２６に伝えるための引き金連接棒を含む、既存の引き金部１４の代わりに装着される車載用引き金部７０と、前記引き金連接棒を電気的に駆動するための、遠隔操作による射撃が必要な時に前記引き金部７０の下側に装着されるソレノイド９０と、を備えたものである。
【００１１】
又、車載取付に関しては、図１に示すような２脚の固定脚１２でなく、銃の前後２箇所の三脚固定用前部孔１１Ａと三脚固定用後部孔１１Ｂとで銃を固定する、図示しない三脚用の孔を利用して、図４に示すような、既存の車載専用銃用台座４６の揺架４７の前後のピン４８に固定する。又、揺架４７は、ヨーク４９と旋回台座５０を介して、図示しない車体に固定する。なお、固定法に関しては、これに限定されるものではない。
【００１２】
前記車載用銃把部５２は、図５（断面図）、図６（分解斜視図）、図７（銃の後方から見た右側面図）及び図８（銃の前方から見た引き金部の断面図）に詳細に示す如く、射撃手が把持するための左右一対のレバー６０と、該レバー６０の上下を固定するための上下一対の支持板６２と、射撃を可能とするための前記押し金５４と、該押し金５４を回動自在に支持するための押し金軸５５と、前記引き金部７０の後端に銃把部５２の下部を固定するためのピン挿入穴６６Ａ、及び、銃本体に銃把部５２の上部を固定するためのピン挿入穴６６Ｂが形成された尾底６６とを主に含んで構成されている。
【００１３】
前記引き金部７０は、同じく図５乃至図８に詳細に示す如く、図３に示した従来例と同様な逆鈎２０、逆鈎軸２２、逆鈎ばね２４、引き金軸１７及び安全子２８と、従来と異なり指がかかる部分がカットされた引き金ブロック７２と、該引き金ブロック７２を後方に引くための引き金連接棒７４と、従来例と同様の銃本体への係止機構（係止用切欠き７６Ａ及びピン挿入穴７６Ｂ）や三脚固定用後部孔７６Ｃを有する引き金枠７６と、前記引き金連接棒７４を摺動自在に支持するための、引き金枠７６の下方に固定される連接棒ホルダ８０とを備えている。
【００１４】
前記連接棒ホルダ８０の下面には、ソレノイド９０を横方向からスライドさせて装着するための切欠き８０Ａが形成されている。
【００１５】
前記ソレノイド９０は、同じく図５乃至図８に詳細に示す如く、コイル９４を支持すると共に、前記連接棒ホルダ８０の切欠き８０Ａに上端が係止するようにされ、側面に電流導入軸９６が配設された支持部９２と、前記コイル９４中心のソレノイド可動軸９８の動きを前記引き金連接棒７４に保持されたソレノイドレバーローラ７８に伝えるための、レバー軸１００によって回動自在に支持されたソレノイドレバー１０２とを備えている。
【００１６】
以下車載化キットへの交換手順を詳細に説明する。
【００１７】
（１）まず、図９に示す如く、携行型機関銃の銃床部３２の上部を止めているピン４０を抜く。
【００１８】
（２）次いで、クリップ４４を外して、引き金部１４の後部と銃床部３２の上部を止めているピン４２を抜き、銃床部３２及び引き金部１４を機関銃本体より取り外す。
【００１９】
（３）次いで、図１０に示す如く、本発明に係る車載用引き金部７０及び車載用銃把部５２を、（１）（２）との逆の順で、ピン４０、４２及びクリップ４４により機関銃本体に取り付ける。
【００２０】
（４）更に、必要に応じて、ソレノイド９０を引き金部７０の下方に取り付ける。
【００２１】
このようにして、既存機関銃の引き金部１４及び銃床部３２を組立部品毎にキット交換することにより、携行型機関銃を車載機関銃に変更できる。キット交換前の引き金１６の代わりに、交換後の銃把部５２の押し金５４を押すことにより、射撃が可能となる。
【００２２】
即ち、ソレノイドを使用しない場合は、銃把部５２の押し金５４を押すことにより、押し金５４が押し金軸５５を軸に回動する。この押し金５４の回転により、引き金部７０の連接棒ホルダ８０で保持されている引き金連接棒７４が引かれる。これにより、引き金連接棒７４とリンクしている引き金ブロック７２が引かれ、逆鈎２０の後端が下がって、銃弾が発射される。
【００２３】
一方、ソレノイド９０を使用する場合には、ソレノイド９０を引き金部７０の連接棒ホルダ８０に取り付ける。ソレイノド９０のスイッチをオンにすることにより、ソレノイド可動軸９８が突出し、ソレノイドレバー１０２がレバー軸１００を中心に回動する。これにより、引き金連接棒７４が引かれ、これにリンクしている引き金ブロック７０が引かれて、逆鈎２０の後端が下がり、銃弾が発射される。
【００２４】
なお、前記実施形態においては、本発明が、機関銃に適用されていたが、本発明の適用対象はこれに限定されず、小銃やライフル銃等の他の小火器にも同様に適用できることは明らかである。
【００２５】
【発明の効果】
本発明によれば、既存の携行型機関銃を容易に車載化することが可能となる。又、一旦車載化した機関銃を、容易に元の携行型機関銃に戻すことが可能である。従って、兵器の種類を減らして、兵站管理を簡略化することができる。
【００２６】
更に、ソレノイドを装着した場合には、遠隔操作も可能である。
【図面の簡単な説明】
【図１】従来の携行型機関銃の一例の構成を示す斜視図
【図２】本発明に係る車載化キットの実施形態により転用された車載用機関銃の構成例を示す斜視図
【図３】従来の携行型機関銃で用いられている引き金部の構成を示す断面図
【図４】従来の車載専用銃の台座の一例の構成を示す分解斜視図
【図５】前記実施形態における引き金部、銃把部及びソレノイドの構成を示す断面図
【図６】同じく分解斜視図
【図７】同じく銃の後方から見た右側面図
【図８】同じく銃の前方から見た引き金部の断面図
【図９】本発明による車載化の手順を説明するための、既存機関銃の引き金部等を取り外した状態を示す斜視図
【図１０】同じく車載化キットを組み込んでいる状態を示す斜視図
【符号の説明】
１０…銃身
１４…引き金部
３２…銃床部
５２…車載用銃把部
５４…押し金
７０…車載用引き金部
７２…引き金ブロック
７４…引き金連接棒
７６…引き金枠
８０…連接棒ホルダ
９０…ソレノイド
９２…支持部
９４…コイル
９８…ソレノイド可動軸
１０２…ソレノイドレバー
【図１】
0003595489.tif 000002
【図２】
0003595489.tif 000003
【図３】
0003595489.tif 000004
【図４】
0003595489.tif 000005
【図５】
0003595489.tif 000006
【図６】
0003595489.tif 000007
【図７】
0003595489.tif 000008
【図８】
0003595489.tif 000009
【図９】
0003595489.tif 000010
【図１０】
0003595489.tif 000011